【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】
（Ａ）下記一般式（１）
（Ｒ１）ｎＳｉ（ＯＲ２）４−ｎ   ・・・（１）
（式中、Ｒ１は炭素数１〜８の１価の有機基を示し、Ｒ２は炭素数１〜５のアルキル基または炭素数１〜６のアシル基を示し、ｎは０〜２の整数である。ｎが２である場合には、Ｒ１は、相互に同一でも異なっていてもよい。また、Ｒ２は、相互に同一でも異なっていてもよい。）で表されるオルガノシラン、該オルガノシランの加水分解物および該オルガノシランの部分縮合物の群から選ばれる少なくとも１種、
（Ｂ）光触媒、並びに
（Ｃ−１）加水分解性基および／または水酸基と結合したケイ素原子を有するシリル基を重合体分子鎖の末端および／または側鎖に有するフッ素アクリル系重合体、
を含有することを特徴とする組成物。
【請求項２】
請求項１において、
前記（Ｃ−１）成分は、（Ｃ−ａ）フッ素原子を含有する単量体、（Ｃ−ｂ）アルキル（メタ）アクリレート、（Ｃ−ｃ）シリル基を有する単量体、および必要に応じて用いられる、（Ｃ−ｄ）前記（Ｃ−ａ）、（Ｃ−ｂ）および（Ｃ−ｃ）の単量体と共重合可能な他の単量体を重合して得られることを特徴とする組成物。
【請求項３】
請求項１または２において、
前記（Ｃ−１）成分における前記シリル基の含有量は、ケイ素原子の量に換算して、該シリル基の導入前の重合体に対して、０．００１〜２０重量％であることを特徴とする組成物。
【請求項４】
請求項１ないし３のいずれかにおいて、
前記（Ｃ−１）成分における特定シリル基は、下記一般式（２）
【化１】
2000044802.tif 000001
（式中、Ｘはハロゲン原子、アルコキシ基、アシロキシ基、アミノキシ基、フェノキシ基、チオアルコキシ基、アミノ基等の加水分解性基または水酸基を示し、Ｒ３は水素原子、炭素数１〜１０のアルキル基または炭素数１〜１０のアラルキル基を示し、ｉは１〜３の整数である。）で表されることを特徴とする組成物。
【請求項５】
請求項１ないし４のいずれかにおいて、
前記（Ｂ）成分の使用量は、前記（Ａ）成分における前記オルガノシラン１００重量部に対して、固形分で、１〜５００重量部であり、
前記（Ｃ−１）成分の使用量は、前記（Ａ）成分における前記オルガノシラン１００重量部に対して、３０〜５００重量部であることを特徴とする組成物。
【請求項６】
（Ａ）下記一般式（１）
（Ｒ１）ｎＳｉ（ＯＲ２）４−ｎ  ・・・（１）
（式中、Ｒ１は炭素数１〜８の１価の有機基を示し、Ｒ２は炭素数１〜５のアルキル基または炭素数１〜６のアシル基を示し、ｎは０〜２の整数である。ｎが２である場合には、Ｒ１は、相互に同一でも異なっていてもよい。また、Ｒ２は、相互に同一でも異なっていてもよい。）で表されるオルガノシラン、該オルガノシランの加水分解物および該オルガノシランの部分縮合物の群から選ばれる少なくとも１種、
（Ｂ）光触媒、並びに
（Ｃ−２）加水分解性基および／または水酸基と結合したケイ素原子を有するシリル基を重合体分子鎖の末端および／または側鎖に有するフッ素ビニルエーテル系重合体、
を含有することを特徴とする組成物。
【請求項７】
請求項６において、
前記（Ｃ−２）成分は、（Ｃ−ａ）フッ素原子を含有する単量体、（Ｃ−ｅ）ビニルエーテル単量体、および必要に応じて用いられる（Ｃ−ｆ）前記（Ｃ−ａ）および（Ｃ−ｅ）の単量体と共重合可能な他の単量体を重合して得られることを特徴とする組成物。
【請求項８】
請求項６または７において、
前記（Ｃ−２）成分における前記シリル基の含有量は、ケイ素原子の量に換算して、該シリル基の導入前の重合体に対して、０．００１〜２０重量％であることを特徴とする組成物。
【請求項９】
請求項６ないし８のいずれかにおいて、
前記（Ｃ−２）成分における前記シリル基は、下記一般式（２）
【化１】
2000044802.tif 000002
（式中、Ｘはハロゲン原子、アルコキシ基、アシロキシ基、アミノキシ基、フェノキシ基、チオアルコキシ基、アミノ基等の加水分解性基または水酸基を示し、Ｒ３は水素原子、炭素数１〜１０のアルキル基または炭素数１〜１０のアラルキル基を示し、ｉは１〜３の整数である。）で表されることを特徴とする組成物。
【請求項１０】
請求項６ないし９のいずれかにおいて、
前記（Ｂ）成分の使用量は、前記（Ａ）成分における前記オルガノシラン１００重量部に対して、固形分で、１〜５００重量部であり、
前記（Ｃ−２）成分の使用量は、前記（Ａ）成分における前記オルガノシラン１００重量部に対して、５０〜８００重量部であることを特徴とする組成物。
【請求項１１】
下記の方法１）ないし５）から選択される組成物の製造方法。
１）（Ａ）下記一般式（１）
（Ｒ１）ｎＳｉ（ＯＲ２）４−ｎ   ・・・（１）
（式中、Ｒ１は炭素数１〜８の１価の有機基を示し、Ｒ２は炭素数１〜５のアルキル基または炭素数１〜６のアシル基を示し、ｎは０〜２の整数である。ｎが２である場合には、Ｒ１は、相互に同一でも異なっていてもよい。また、Ｒ２は、相互に同一でも異なっていてもよい。）で表されるオルガノシラン、
（Ｂ）光触媒、
（Ｃ−１）加水分解性基および／または水酸基と結合したケイ素原子を有するシリル基を重合体分子鎖の末端および／または側鎖に有するフッ素アクリル系重合体、または（Ｃ−２）加水分解性基および／または水酸基と結合したケイ素原子を有するシリル基を重合体分子鎖の末端および／または側鎖に有するフッ素ビニルエーテル系重合体、
（Ｅ）触媒、
および有機溶剤からなる混合物に、所定量の水を加えて加水分解・部分縮合反応を行ったのち、
（Ｆ）一般式  Ｒ１１ＣＯＣＨ２ＣＯＲ１２  （式中、Ｒ１１およびＲ１２は、Ｒ１０およびＲ１１は、それぞれ独立にエチル基、ｎ−プロピル基、ｉ−プロピル基、ｎ−ブチル基、ｓｅｃ−ブチル基、ｔ−ブチル基、ｎ−ペンチル基、ｎ−ヘキシル基、シクロヘキシル基、フェニル基等の炭素数１〜６の１価の炭化水素基を示す。）で表されるβ−ジケトン類および／またはβ−ケトエステル類、カルボン酸化合物、ジヒドロキシ化合物、アミン化合物およびオキシアルデヒド化合物の群から選ばれる少なくとも１種、を添加する方法、
２）前記（Ａ）成分を構成する前記オルガノシラン、前記（Ｂ）成分および有機溶剤からなる混合物に、所定量の水を加えて加水分解・部分縮合反応を行い、次いで前記（Ｃ―1）または（Ｃ−２）成分および前記（Ｅ）成分を加えて混合して、さらに部分縮合反応を行ったのち、前記（Ｆ）成分を添加する方法、
３）前記（Ａ）成分を構成する前記オルガノシラン、前記（Ｂ）成分、前記（Ｅ）成分および有機溶剤からなる混合物に、所定量の水を加えて加水分解・部分縮合反応を行い、次いで前記（Ｃ―１）または（Ｃ−２）成分を加えて混合して、さらに部分縮合反応を行ったのち、前記（Ｆ）成分を添加する方法、
４）前記（Ａ）成分を構成する前記オルガノシランの一部、前記（Ｂ）成分、前記（Ｃ―１）または（Ｃ−２）成分、前記（Ｅ）成分および有機溶剤からなる混合物に、所定量の水を加えて加水分解・部分縮合反応を行い、次いで前記オルガノシランの残部を添加して、さらに加水分解・部分縮合反応を行なったのち、前記（Ｆ）成分を添加する方法、
５）前記（Ｂ）成分を除いた各成分を用いて前記１）、２）、３）あるいは４）の方法を実施したのち、前記（Ｂ）成分を添加する方法。
【手続補正２】
【補正対象書類名】明細書
【補正対象項目名】００２３
【補正方法】変更
【補正の内容】
【００２３】
また、（Ａ）成分の市販品には、三菱化学（株）製のＭＫＣシリケート、多摩化学（株）製のシリケート、東レ・ダウコーニング社製のシリコーンレジン、東芝シリコーン（株）製のシリコーンレジン、日本ユニカ（株）製のシリコーンオリゴマー等があり、これらをそのまま、または縮合させて使用してもよい。
【手続補正３】
【補正対象書類名】明細書
【補正対象項目名】０１２５
【補正方法】変更
【補正の内容】
【０１２５】
プライマーの種類としては、例えば、アルキド樹脂、アミノアルキド樹脂、エポキシ樹脂、ポリエステル、アクリル樹脂、ウレタン樹脂、フッ素樹脂、アクリルシリコーン樹脂、アクリルエマルジョン、エポキシエマルジョン、ポリウレタンエマルジョン、ポリエステルエマルジョンや、本発明における（Ａ）成分と（Ｃ）成分とからなる組成物、本発明における（Ａ）成分と（Ｃ）成分と（Ｇ）成分とからなる組成物等を挙げることができる。また、これらのプライマーには、厳しい条件での基材と塗膜との密着性が必要な場合、各種の官能基を付与することもできる。このような官能基としては、例えば、水酸基、カルボキシル基、カルボニル基、アミド基、アミン基、グリシジル基、アルコキシシリル基、エーテル結合、エステル結合等を挙げることができる。